(57)【要約】      （修正有）【課題】圧迫性痛みおよび潰瘍の発症を低下させるためのエアクッションを固定するマットレスオーバーレイの改良に関する。【解決手段】改良点は、マットレスオーバーレイのコーナーストラップシステムに関連する。周辺部の少なくとも１つの末端から伸張する少なくとも１つの非膨張性コーナーストラップシステムが存在する。中央セクション、中央セクションに対向して位置する少なくとも２つの側部セクション、および、中央セクションと各側部セクションの間に位置づけられる少なくとも２つのエルボー形スリットまたはミシン目を有する折り畳みセクションが、第１の非膨張性コーナーストラップシステムを形成する。各ミシン目およびスリットにより、折り畳みが形付けられる。折り畳みの様々な組み合わせを用いて、様々なサイズおよびスタイルのマットレスにマットレスオーバーレイを固定することができる。【選択図】図３
2005185833.tif 000002
【特許請求の範囲】
【請求項１】
互いに接着して非膨張性の周辺部を形成する一対のプラスチックシートから形成される膨張可能なボディ支持体から成るマットレスオーバーレイであって、
前記非膨張性周辺部が空気圧調整可能なチャンバーの周囲を形どる結果として、上面に横たえられるヒトを支持するためのエアクッションであって、少なくとも圧力を分散して圧迫性の痛みおよび潰瘍の発症を低下させるエアクッションが提供され、
前記周辺部が遠位末端、近位末端、第１の側部および第２の側部を有し、
改良点として、
前記周辺部の少なくとも１つの末端から伸長する第１の非膨張性のコーナーストラップシステム；
第１の非膨張性コーナーストラップシステムを形成するための、中央セクション、中央セクションに対向する側部に位置づけられる少なくとも２つの側部セクション、および中央セクションと各側部セクションの間に位置づけられる少なくとも２つのエルボー形スリットないしミシン目を有する折り畳みセクション；
各エルボー形ミシン目およびスリットが折り畳みを形づけるものであること；
中央セクションの各側部における各折り畳みが、中央セクションから異なる距離に位置づけられていること；
折り畳みが、マットレスオーバーレイを様々なサイズおよびスタイルのマットレスに固定するために用いられるものであること、
を含む、マットレスオーバーレイ。
【請求項２】
第２の非膨張性コーナーストラップシステムがマットレスオーバーレイの他の末端に位置づけられている、請求項１記載のマットレスオーバーレイ。
【請求項３】
少なくとも１つのスリットないしミシン目が折り畳みセクションの少なくとも周辺部に対して平行である、請求項１記載のマットレスオーバーレイ。
【請求項４】
中央セクションがボタンを有する、請求項１記載のマットレスオーバーレイ。
【請求項５】
中央セクションの各側部における少なくとも１つの折り畳みが少なくとも１つのスリット、またはボタンと連結するための他の結合機構を有する、請求項４記載のマットレスオーバーレイ。
【請求項６】
コーナーストラップシステムの周辺部により、マットレスオーバーレイが長方形状となっている、請求項１記載のマットレスオーバーレイ。
【請求項７】
互いに接着して非膨張性の周辺部を形成する一対のプラスチックシートから形成される膨張可能なボディ支持体から成るマットレスオーバーレイであって、
非膨張性周辺部が空気圧調整可能なチャンバーの周囲を形どる結果として、上面に横たえられるヒトを支持するためのエアクッションであって、少なくとも圧力を分散して圧迫性の痛みおよび潰瘍の発症を低下させるエアクッションが提供され、
周辺部が遠位末端、近位末端、第１の側部および第２の側部を有し、
改良点として、
周辺部の少なくとも１つの末端から伸長する第１の非膨張性コーナーストラップシステム；
第１の非膨張性コーナーストラップシステムを形成するための、結合装置を有する中央セクション、中央セクションに対向する側部に位置づけられる少なくとも２つの側部セクション、および中央セクションと各側部セクションの間に位置づけられる少なくとも２つのエルボー形スリットないしミシン目を有する折り畳みセクション；
各エルボー形ミシン目およびスリットが折り畳みを形づけるものであること；
中央セクションの各側部の各折り畳みが中央セクションから異なる距離で存在し、結合装置に固着するための捕捉装置を有すること；
各折り畳みが、マットレスオーバーレイを様々なサイズおよびスタイルのマットレスに固定するために用いられるものであること、
を含む、マットレスオーバーレイ。
【請求項８】
第２の膨張不能性コーナーストラップシステムが、マットレスオーバーレイの他の末端に位置づけられている、請求項７記載のマットレスオーバーレイ。
【請求項９】
少なくとも１つのスリットまたはミシン目が、折り畳みセクションの少なくとも周辺部に平行している、請求項７記載のマットレスオーバーレイ。
【請求項１０】
結合装置が、ボタン；びょう；スナップボタン；またはフックおよびループユニットの一部分である、請求項７記載のマットレスオーバーレイ。
【請求項１１】
中央セクションの各側部の少なくとも１つの折り畳みが、ボタンないしびょうと連結するための少なくとも１つのスリット；スナップボタンに対応するユニット；またはフックおよびループユニットの対応する他の部分を有する、請求項１０記載のマットレスオーバーレイ。
【請求項１２】
コーナーストラップシステムの周辺部により、マットレスオーバーレイが長方形状となっている、請求項１記載のマットレスオーバーレイ。
【発明の詳細な説明】
【技術分野】
【０００１】
発明の分野
本発明は、調節可能なストラップを有するパッドに関する。
【背景技術】
【０００２】
少なくとも1984年以来、ゲイマー(Gaymer)は、自社製品duo・gard(登録商標)マットレスオーバーレイを製造し続けている。duo・gardマットレスオーバーレイは、ゲイマーのパンフレットに以下のように記載されている。
「２層固定型エア設計により、圧迫性潰瘍からの保護のための患者当たりのコストを下げることができる。duo・gardにより、使い易さと耐久性をコスト上有効に保持しつつ、圧迫性潰瘍の予防および部分的厚圧迫性潰瘍の処置が提供される。耐久性ビニル構造は、消耗や引き裂きに耐え、汚れを清潔に拭き取るのが容易である。コーナーのストラップにより、クッションがマットレスに安全に固定される。数種の膨張オプションにより、迅速容易に膨張する。クッションにより、安眠および簡単に患者が出入りできるための快適、安全、低い側面のエア表面が提供される。」
【０００３】
duo・gardマットレスオーバーレイ10は、図１および２に示すように、少なくとも第１の重合シート12および第２の重合シート14を有する。第１のシートおよび第２のシートは、周辺部16にて互いに接着し、膨張可能なセクション18を形成する。膨張可能なセクション18内には、第１のシートと第２のシートを接着する結合部20が存在し得る。周辺部16は、膨張可能なセクションに包囲されない非膨張性の領域である。
【０００４】
周辺部16は、遠位末端22、近位末端24、第１の側部26、および第２の側部28を有すると記載することができる。各末端22、24から伸長して、コーナーストラップシステム30a、bが存在する。
各コーナーストラップシステム30は、各側部26、28から伸長している一つのストラップ32a、b、c、dを有し、エルボー形ジョイントのごとく成形されて、末端、中央周辺部伸長部34a、bと相互に連結している。このシステム30により、duo・gardマットレスオーバーレイをマットレスに固定することが可能となる。
【０００５】
このコーナーストラップ30は、しかし、いくつかの問題を有する。第１に、コーナーストラップシステム30は、固定型システムである。固定型システムは、ストラップを配置し直して、別の長さとすることができないことを意味する。ストラップを配置し直すことができれば、マットレスオーバーレイを、より確実に様々な設計及びマットレス形状に取り付けることができる。このような配置変更システムの例は、特許文献１に開示されている。
【特許文献１】米国特許第5,265,293号
【発明の開示】
【発明が解決しようとする課題】
【０００６】
上記特許文献１では、マットレスオーバーレイのためのストラップは、(1)マットレスオーバーレイの中央周辺部伸長部の(a)側縁に沿ってないしその各末端付近および(b)その末端に配置される、少なくとも１つの隙間を有するタブ、(２)特別な固着手段またはボタン、および(３)独立かつ別個のストラップを要する。独立かつ別個のストラップは、ボタンまたは特別なファスナーにより、マットレスオーバーレイのタブと相互に連結する。言い換えると、特許文献１記載の発明は、喪失または破損することが明らかな複数の取り外し可能な装置を有する。そのような災難が生じた場合、マットレスオーバーレイは、確実にマットレスに結合することができなくなる。
【課題を解決するための手段】
【０００７】
本発明は、前記課題を解決する調節可能な固定型システムに関する。
発明の概要
本発明は、膨張可能なボディ支持体−これは、互いに接着して非膨張性の周辺部を形成する一対のプラスチックシートから形成されるものである−なるマットレスオーバーレイに関するものである。非膨張性の周辺部により、空気圧調整可能なチャンバーの周囲が形どられる。前記チャンバーにより、少なくとも圧力を分散して、圧迫性の痛みおよび潰瘍の発症を低下させるエアクッション−これは、上面に横たえられるヒトを支持するためのものである−が提供される。周辺部は、遠位末端、近位末端、第１の側部および第２の側部を有する。本発明の改良点は、コーナーのストラップシステムに関する。周辺部の少なくとも一つの末端から伸長する少なくとも１つの非膨張性のコーナーストラップが存在する。中央セクション、中央セクションの対向する側部に位置づけられる少なくとも２つの側部セクション、および中央セクションと各側部セクションの間に位置づけられる少なくとも２つのエルボー形スリットないしミシン目を有する折り畳み(ホールドダウン)セクション、および各側部セクションが、第１の非膨張性コーナーストラップシステムを形成する。各ミシン目およびスリットは、折り畳みを形づけるものである。中央セクションの各側部における各折り畳みは、中央セクションから異なる距離に位置する。
【発明の効果】
【０００８】
折り畳みの様々な組合せを用いて、マットレスオーバーレイを様々なサイズおよびスタイルのマットレスに固定することができる。
【発明を実施するための最良の形態】
【０００９】
本発明は、マットレスオーバーレイ10のための新規なストラップシステム50に関するものである。マットレスオーバーレイ10は、少なくとも第１の重合シート12および第２の重合シート14を有する。第１のシートおよび第２のシートは、周辺部16で接着されて、膨張可能なセクション18を形成する。膨張可能なセクション18内には、第１および第２のシートを接着する結合部20が存在し得る。周辺部16は非膨張性の領域であり、膨張可能なセクションによって包囲されないものである。
【００１０】
周辺部16は、遠位末端22、近位末端24、第１側部26、および第２側部28を有すると記載することができる。コーナーストラップシステム50は、各末端22、24から伸長している。
【００１１】
各コーナーストラップシステム50は、非膨張性周辺部16が伸長したものであり、中央セクション52、少なくとも２つの側部セクション54、および少なくとも２つの折り畳みセクション55を有する。各折り畳みセクションは、中央セクション52と１つの側部セクション54の間に位置づけられる。各折り畳みセクション内には、少なくとも２つのエルボー形ミシン目56a、b、c、dが存在する。中央セクションと少なくとも１つの側部セクションの間に位置づけられるこれらのミシン目は、少なくとも２つの折り畳み60a、bを形成する。中央セクションの各側部における各折り畳みは、中央セクション52から異なる距離に存在する(d1、d2)。別法として、ミシン目56はスリットであってよいが、これは、使用者に折り畳みを形付けさせなくとも、折り畳みが予め形成されていることを意味する。好ましくは、各コーナーストラップシステムは、図３に示すように、鏡像の折り畳み60を有する。
【００１２】
各コーナーストラップシステム50上に、および中央セクション52から異なる距離に(d1、d2)、複数の折り畳み60を有することにより、マットレスオーバーレイ10は、付属装置を用いなくとも、多種多様なサイズおよびスタイルのマットレスに固定することが可能となる。
【００１３】
図４に示す他の具体例では、本発明は、中央セクション52に位置づけられる結合装置70を有する。結合装置70は、折り畳みを中央セクションへと固定することができるあらゆる装置であってよい。そのような装置70の例には、限定するものではないが、ボタン、びょう、スナップボタン装置、フックおよびループ装置が含まれる。結合装置70に加えて、折り畳み60は、対応する結合装置72を有することができる。対応する結合装置72は、スリット、フックおよびループ装置、またはスナップボタンユニットであってよい。各対応する結合装置72は、結合装置70に整合して位置づけられ、それと固着することができる。即ち、ストラップ60、32は、取り外し可能な追加の装置を何ら用いなくても、配置変更することができる。
【００１４】
コーナーストラップシステム50は、丸みを帯びたコーナー58を有し、マットレスオーバーレイ10を長方形状としている。中央セクション52および少なくとも２つの側部セクション54a、bは、中央セクション52に結合装置70を含むことを除いて、ミシン目またはスリットを含まない。これらのセクションは、ミシン目づけられておらず、コーナーストラップシステム50に硬度を付与するものである。
【００１５】
本発明を、図面および前記記載において詳細に説明および開示したが、これらは例示として考慮されるべきであり、限定的に解釈されるべきでなく、単に好ましい具体例を明示および開示したものであり、本発明の範囲内にあるあらゆる変化および変更は、保護されることを所望すると理解されたい。本発明の改良点を除き、好ましい具体例の構成材料および構成技術ならびに好ましい具体例の一般的設計は、本発明の背景に記載したduo・gardマットレスオーバーレイのものと同じである。
【図面の簡単な説明】
【００１６】
【図１】図１は、少なくとも1984年以来、出願人により作製されている先行技術に関する具体例である。
【図２】図２は、ライン1-1に沿って得た図１の概要図である。
【図３】図３は、本発明の概要図である。
【図４】図４は、囲った箇所４からの、本発明の別態様である。
【図１】
2005185833.tif 000003
【図２】
2005185833.tif 000004
【図３】
2005185833.tif 000005
【図４】
2005185833.tif 000006
【外国語明細書】
2005185833000001.pdf